(57)【要約】【課題】複数の負荷へ電流及び電圧を安定供給し、また、サージの発生を抑えて、負荷の破損を防止するスイッチング電源装置を提供する。【解決手段】主ＳＷ制御回路２０は、トランスの二次巻線からの主出力電圧Ｖo1に応じた帰還信号ｆｂに基づいてローサイドスイッチ素子Ｑ１及びハイサイドスイッチ素子Ｑ２をスイッチング制御し、トランスＴの一次巻線ｎｐへ電圧を供給し、供給を遮断する。ＤＳＰ３０は、主負荷１０の負荷の軽重に応じて、設定された目標値を変更し、その目標値に基づいて、副整流平滑回路のスイッチ素子Ｑ２１，Ｑ２２，Ｑ２３それぞれをスイッチング制御し、第１副負荷１１，１２，１３を駆動する。【選択図】図１
2014017960.tif 000002
【特許請求の範囲】
【請求項１】
入力部、主出力部及び一又は複数の副出力部を有するトランスと、
前記入力部への電圧の供給及び供給の遮断を切り替えるスイッチ回路と、
前記主出力部からの誘起電圧を整流平滑して主出力電圧を出力する主整流平滑回路と、
前記主出力電圧を昇圧又は降圧して、後段の主負荷へ出力するコンバータ部と、
前記副出力部に設けられ、スイッチ素子のスイッチングにより、前記副出力部からの誘起電圧を整流平滑し、接続された副負荷へ出力する一又は複数の副整流平滑回路と、
前記主出力電圧に応じた帰還信号に基づいて、前記スイッチ回路をスイッチング制御する第１制御部と、
設定された目標値に基づいて、前記副整流平滑回路の前記スイッチ素子それぞれをスイッチング制御し、一又は複数の前記副負荷を駆動する第２制御部と、
前記主負荷の軽重に関する情報を検出する検出手段と、
前記検出手段が検出した前記情報に基づいて、前記目標値を変更する変更手段と、
を備えるスイッチング電源装置。
【請求項２】
前記コンバータ部は、前記主負荷を間欠駆動し、
前記変更手段は、前記間欠駆動における立ち上がり時の目標値を変更する、
請求項１に記載のスイッチング電源装置。
【請求項３】
前記変更手段は、前記間欠駆動における立下り時の目標値を変更する、
請求項２に記載のスイッチング電源装置。
【請求項４】
前記変更手段は、前記主負荷の電流変化幅が大きくなるに伴い、前記副負荷の前記目標値の変動幅を大きくする、請求項１から３の何れかに記載のスイッチング電源装置。
【発明の詳細な説明】
【技術分野】
【０００１】
本発明は、複数の負荷へ電力を供給するスイッチング電源装置に関するものである。
【背景技術】
【０００２】
複数のダイオード負荷へ電源供給するスイッチング電源装置は、直流電圧を複数の出力部から出力する構成とする必要がある。特許文献１に記載のスイッチング電源装置は、トランスに複数の二次巻線を設けて整流平滑することで複数の直流電圧を得るようにしている。
【０００３】
特許文献１に記載のスイッチング電源装置においては、二つの二次巻線の一方に、スイッチ素子とキャパシタとが接続され、第１の直流電圧が第１負荷へ出力される。また、二次巻線の他方には、ダイオードとキャパシタとが接続され、第２の直流電圧が第２負荷へ出力される。そして、第１負荷の負荷電力によって変動する第１の直流電圧を検出し、検出した結果に応じて、トランスの一次側のスイッチ素子がスイッチング制御される。これにより、負荷電力が大きく変化する場合であっても、第１の直流電圧の安定化を実現している。
【先行技術文献】
【特許文献】
【０００４】
【特許文献１】特開平１０−２８３７６号公報
【発明の概要】
【発明が解決しようとする課題】
【０００５】
特許文献１に記載のスイッチング電源装置は、トランスの一次側のスイッチ素子のスイッチング制御を、第１の直流電圧に合わせている。このため、第２負荷が一定である場合であっても、第１負荷の変動に伴い、トランスの一次側のスイッチ素子のスイッチング制御により、第２の直流電圧が変動してしまう。また、第１負荷の急変により、第２負荷に流れる電流にサージ等が発生する場合があり、このサージ等により、負荷側にノイズを発生し、負荷側の特性に影響を与えたり、第２負荷の定格を超える電流が流れるおそれがある。
【０００６】
そこで、本発明の目的は、複数の負荷へ電流及び電圧を安定供給し、また、サージの発生を抑えて、安定動作するスイッチング電源装置を提供することにある。
【課題を解決するための手段】
【０００７】
本発明に係るスイッチング電源装置は、入力部、主出力部及び一又は複数の副出力部を有するトランスと、前記入力部への電圧の供給及び供給の遮断を切り替えるスイッチ回路と、前記主出力部からの誘起電圧を整流平滑して主出力電圧を出力する主整流平滑回路と、前記主出力電圧を昇圧又は降圧して、後段の主負荷へ出力するコンバータ部と、前記副出力部に設けられ、スイッチ素子のスイッチングにより、前記副出力部からの誘起電圧を整流平滑し、接続された副負荷へ出力する一又は複数の副整流平滑回路と、前記主出力電圧に応じた帰還信号に基づいて、前記スイッチ回路をスイッチング制御する第１制御部と、設定された目標値に基づいて、前記副整流平滑回路の前記スイッチ素子それぞれをスイッチング制御し、一又は複数の前記副負荷を駆動する第２制御部と、主負荷の軽重に関する情報を検出する検出手段と、前記検出手段が検出した前記情報に基づいて、前記目標値を変更する変更手段と、を備えることを特徴とする。
【０００８】
この構成では、主出力電圧に応じた帰還信号で、スイッチ回路をスイッチング制御するため、主出力電圧は、主負荷の軽重によって過渡的に変動する。このため、副整流平滑回路へ入力される電圧も過渡的に変動し、それにより、副負荷へ供給される電圧及び電流が変動する。そこで、主負荷の軽重によって、副整流平滑回路に設定される目標値を変更することで、副負荷へ供給される電圧及び電流が安定化する。特に、主負荷の急変によっても副負荷へのサージ電圧又はサージ電流が低減されるので、安定動作することができる。
【０００９】
前記コンバータ部は、前記主負荷を間欠駆動し、前記変更手段は、前記間欠駆動における立ち上がり時の目標値を変更することが好ましい。
【００１０】
この構成では、副負荷に供給される電圧及び電流のサージを抑制できる。
【００１１】
前記変更手段は、前記間欠駆動における立下り時の目標値を変更する構成でもよい。
【００１２】
この構成では、立下り時に生じる、副負荷に供給される電圧及び電流の減少方向のサージ（急減）を抑制できる。
【００１３】
前記変更手段は、前記主負荷の電流変化幅が大きくなるに伴い、前記副負荷の前記目標値の変化幅を大きくする構成が好ましい。
【００１４】
この構成では、主負荷が重負荷であるほど目標値を大きくすることにより、副負荷への供給電圧及び電流の変動を抑制できる。
【発明の効果】
【００１５】
本発明によれば、主負荷の軽重によって、副整流平滑回路に設定される目標値を変更することで、副負荷へ供給される電圧及び電流が安定化する。特に、主負荷の急変によっても副負荷へのサージ電圧又はサージ電流が低減されるので、安定動作することができる。
【図面の簡単な説明】
【００１６】
【図１】実施形態１に係るスイッチング電源装置の回路図。
【図２】スイッチング電源装置の各スイッチ素子のタイミングチャートを示す図。
【図３】主負荷電流と副負荷電流との電流波形を示す図。
【図４】実施形態２に係るスイッチング電源装置の回路図。
【発明を実施するための形態】
【００１７】
以下に説明する実施形態は、本発明に係るスイッチング電源装置をプロジェクタの電源装置として用いた場合について説明する。以下の実施形態に係るスイッチング電源装置は、ダイオード負荷として、一つの主負荷と三つの副負荷とを点灯制御する。
【００１８】
図１は実施形態１に係るスイッチング電源装置の回路図である。本実施形態に係るスイッチング電源装置１０１は、一次巻線ｎｐ及び二次巻線ｎｓを備えたトランスＴを備えている。スイッチング電源装置１０１は、トランスＴの一次側に入力電源Ｅを備え、二次側に、主負荷１０、第１副負荷１１、第２副負荷１２及び第３副負荷１３を備えている。
【００１９】
一次巻線ｎｐには、ローサイドスイッチ素子Ｑ１が直列接続されている。また、一次巻線ｎｐには、ハイサイドスイッチ素子Ｑ２、共振用のキャパシタＣｒ及びインダクタＬｒが接続されていて、閉ループを構成している。ローサイドスイッチ素子Ｑ１及びハイサイドスイッチ素子Ｑ２等で構成されるスイッチ回路は、ローサイドスイッチ素子Ｑ１及びハイサイドスイッチ素子Ｑ２がデッドタイムを挟んで補助的にオンオフすることで、一次巻線ｎｐに電流を正逆に流す。これにより、トランスＴの二次巻線ｎｓには誘起電圧が発生する。
【００２０】
二次巻線の一端部（本発明の主出力部）には主整流平滑回路が接続されている。主整流平滑回路は、接続されたインダクタＬ１、第１整流素子Ｄ１及び平滑キャパシタＣo１を有している。そして、主整流平滑回路は、二次巻線ｎｓからの誘起電圧を整流平滑し、主出力電圧Ｖo1を発生する。なお、主整流平滑回路が発生させる主出力電圧Ｖo1は、ローサイドスイッチ素子Ｑ１及びハイサイドスイッチ素子Ｑ２のスイッチング制御により決まる。
【００２１】
主整流平滑回路には、ＤＣ−ＤＣコンバータ４０が接続されている。ＤＣ−ＤＣコンバータ４０は、例えば、主整流平滑回路から出力される１２Ｖの主出力電圧Ｖo1を降圧し、後段の主負荷１０を、例えば１００Ｈｚ〜２００Ｈｚで間欠駆動（バースト駆動）する。
【００２２】
ＤＣ−ＤＣコンバータ４０は、ＤＳＰ（Digital Signal Processor）４１及びコンバータ４２を備えている。ＤＳＰ４１には、外部から主負荷１０の調光信号が入力される。また、主負荷１０には電流検出用の抵抗Ｒ４が接続されていて、ＤＳＰ４１は、主負荷１０に流れる電流（以下、主負荷電流という。）を随時検出する。ＤＳＰ４１は、主負荷が調光信号によって決まる目標電流値を保つよう、コンバータ４２の間欠出力のバースト時間を制御する。
【００２３】
また、ＤＳＰ４１は、後段の主負荷１０への供給電力を検出し、主負荷１０の負荷の軽重を判定する。例えば、ＤＳＰ４１は、主負荷１０への供給電力が大きい場合、主負荷１０は重負荷であり、供給電力が小さい場合、主負荷１０は軽負荷であると判定する。ＤＳＰ４１は、判定した負荷の軽重結果を負荷情報として、スイッチング電源装置１０１がトランスＴの二次側に備えるＤＳＰ（第２制御部）３０へ出力する。
【００２４】
さらに、ＤＳＰ４１には、第１副負荷１１、第２副負荷１２及び第３副負荷１３それぞれに対する調光信号が入力される。ＤＳＰ４１は、入力した各調光信号をＤＳＰ３０へ出力する。なお、ＤＳＰで構成している部分はＭＣＵ（Micro Control Unit）で構成してもよい。
【００２５】
二次巻線ｎｓは複数のタップを有している。各タップには、第１、第２及び第３副整流平滑回路が接続されている。この複数のタップは、本発明に係る副出力部に相当する。
【００２６】
第１副整流平滑回路は、二次巻線ｎｓのタップに接続されたインダクタＬ２１、第１整流回路ＣＲ１及び平滑キャパシタＣo21を有している。第１整流回路ＣＲ１は、ダイオードＤ２１及びスイッチ素子Ｑ２１を有している。第１副整流平滑回路は、二次巻線ｎｓのタップからの誘起電圧を整流平滑し、副出力電圧Ｖo21を発生する。第１副整流平滑回路の後段には第１副負荷１１が接続されていて、第１副負荷１１に副出力電圧Ｖo21が供給される。
【００２７】
第２副整流平滑回路は、二次巻線ｎｓのタップに接続されたインダクタＬ２２、第２整流回路ＣＲ２及び平滑キャパシタＣo22を有している。第２整流回路ＣＲ２は、ダイオードＤ２２及びスイッチ素子Ｑ２２を有している。第２副整流平滑回路は、二次巻線ｎｓのタップからの誘起電圧を整流平滑し、副出力電圧Ｖo22を発生する。第２副整流平滑回路の後段には、第２副負荷１２が接続されていて、第２副負荷１２に副出力電圧Ｖo22が供給される。
【００２８】
第３副整流平滑回路は、二次巻線ｎｓのタップに接続されたインダクタＬ２３、第３整流回路ＣＲ３及び平滑キャパシタＣo 23を有している。第３整流回路ＣＲ３は、ダイオードＤ２３及びスイッチ素子Ｑ２３を有している。第３副整流平滑回路は、二次巻線ｎｓのタップからの誘起電圧を整流平滑し、副出力電圧Ｖo23を発生する。第３副整流平滑回路の後段には、第３副負荷１３が接続されていて、第３副負荷１３に副出力電圧Ｖo23が供給される。
【００２９】
各インダクタＬ１，Ｌ２１，Ｌ２２，Ｌ２３は、誘起電圧が生じた二次巻線ｎｓから後段へ流入する電流の立ち上がりを遅らせる。これらインダクタＬ１，Ｌ２１，Ｌ２２，Ｌ２３はトランスＴの漏れインダクタンスであってもよいし、外部実部品であってもよい。立ち上がりを遅らせる必要がない場合、インダクタは不要としてもよい。
【００３０】
スイッチング電源装置１０１は、トランスＴの一次側にローサイドスイッチ素子Ｑ１及びハイサイドスイッチ素子Ｑ２をスイッチング制御する主スイッチング制御回路（以下、主ＳＷ制御回路という。）２０を備えている。主ＳＷ制御回路２０（本発明の第１制御部）は、主出力電圧Ｖo1に応じた帰還信号ｆｂが入力される。図示しないが、帰還信号ｆｂは、例えばフォトカプラ等の絶縁手段を介して二次側から一次側へフィード・バックされる。
【００３１】
主負荷１０の負荷の軽重（電流変化幅）によって、主出力電圧Ｖo1は変動するため、主ＳＷ制御回路２０は、主出力電圧Ｖo1を安定させるために、帰還信号ｆｂに基づいてローサイドスイッチ素子Ｑ１及びハイサイドスイッチ素子Ｑ２を、短いデッドタイムを挟んで交互にオンオフする制御を行う。主ＳＷ制御回路２０は、ローサイドスイッチ素子Ｑ１及びハイサイドスイッチ素子Ｑ２のスイッチング同期信号をＤＳＰ３０へ出力する。
【００３２】
ＤＳＰ３０は、第１副ＳＷ制御部３１、第２副ＳＷ制御部３２、第３副ＳＷ制御部３３及び調整目標値受取部３４等、複数の機能を有している。第１副ＳＷ制御部３１、第２副ＳＷ制御部３２及び第３副ＳＷ制御部３３はそれぞれ同様に動作する。したがって、以下では、第１副ＳＷ制御部３１について説明し、第２副ＳＷ制御部３２及び第３副ＳＷ制御部３３については対応する符号を括弧書きで示す。
【００３３】
調整目標値受取部３４は、ＤＳＰ４１が出力した第１副負荷１１（１２，１３）の目標値信号を受け取る。調整目標値受取部３４は、入力した目標値信号によって決まる目標電流値を第１副ＳＷ制御部３１（３２，３３）へ出力する。
【００３４】
第１副ＳＷ制御部３１（３２，３３）は、第１副負荷１１（１２，１３）に流れる電流（以下、副負荷電流という。）を検出する。この副負荷電流の検出には、第１副負荷１１（１２，１３）に接続された電流検出用の抵抗Ｒ１（Ｒ２，Ｒ３）が用いられる。第１副ＳＷ制御部３１（３２，３３）は、副負荷電流が、調整目標値受取部３４に設定された目標電流値以下に保つよう、スイッチ素子Ｑ２１（Ｑ２２，Ｑ２３）をスイッチング制御する。
【００３５】
調整目標値受取部３４は、ＤＣ−ＤＣコンバータ４０のＤＳＰから出力された負荷情報を取得する。調整目標値受取部３４は、負荷情報に基づいて、第１副ＳＷ制御部３１（３２，３３）に設定した目標電流値を変更する。第１副ＳＷ制御部３１（３２，３３）は、目標電流値が変更された場合、変更後の目標電流値以下に保つように、スイッチ素子Ｑ２１（Ｑ２２，Ｑ２３）をスイッチング制御する。これにより、第１、第２及び第３副整流平滑回路から出力される電流に、サージが発生することを回避できる。特に電流増大方向へのサージを防止することで、第１副負荷１１（１２，１３）への過電圧・過電流の印加を防止できる。
【００３６】
以下、負荷駆動電源装置１０１全体の動作を説明しつつ、サージの発生を回避できることについて詳述する。
【００３７】
図２はスイッチング電源装置１０１の各スイッチ素子のタイミングチャートを示す図である。
【００３８】
（ｔ０〜ｔ１）
ローサイドスイッチ素子Ｑ１がオン、ハイサイドスイッチ素子Ｑ２がオフのとき、入力電源Ｅ、トランスＴの一次巻線ｎｐ及びローサイドスイッチ素子Ｑ１の経路で電流が流れる。これにより、トランスＴの二次巻線ｎｓに誘起電圧が生じる。このとき生じた誘起電圧が主整流平滑回路で整流平滑され、ＤＣ−ＤＣコンバータ４０を介して主負荷１０に直流電流が供給される。これにより、主負荷１０は点灯する。
【００３９】
また、ローサイドスイッチ素子Ｑ１のオンに同期して、スイッチ素子Ｑ２１，Ｑ２２，Ｑ２３がそれぞれ所定時間オンされる。スイッチ素子Ｑ２１，Ｑ２２，Ｑ２３のオン時間は、第１副負荷１１、第２副負荷１２及び第３副負荷１３の調光制御に応じて設定される。スイッチ素子Ｑ２１，Ｑ２２，Ｑ２３がオンされ、整流平滑されることで、第１副負荷１１、第２副負荷１２及び第３副負荷１３は点灯する。
【００４０】
（ｔ１〜ｔ２）
ローサイドスイッチ素子Ｑ１及びハイサイドスイッチ素子Ｑ２がオフのとき、トランスＴの一次巻線ｎｐ、ハイサイドスイッチ素子Ｑ２のボディーダイオード及びキャパシタＣｒの経路で電流が流れる。このとき、キャパシタＣｒは充電される。一方、トランスＴの二次側には電流が流れない。
【００４１】
（ｔ２〜ｔ３）
ローサイドスイッチ素子Ｑ１がオフ、ハイサイドスイッチ素子Ｑ２がオンのとき、充電したキャパシタＣｒにより、キャパシタＣｒ、ハイサイドスイッチ素子Ｑ２及び一次巻線ｎｐの経路で電流が流れる。トランスＴの二次側には電流が流れない。
【００４２】
（ｔ３〜ｔ０）
ローサイドスイッチ素子Ｑ１及びハイサイドスイッチ素子Ｑ２がオフのとき、キャパシタＣｒ、一次巻線ｎｐ及びローサイドスイッチ素子Ｑ１のボディーダイオードの経路で電流が流れ、キャパシタＣｒは放電される。トランスＴの二次側には電流が流れない。
【００４３】
図１に示したように、第１副負荷１１（１２，１３）は、整流平滑出力により間欠駆動される。これに対し、主負荷１０は１００Ｈｚ〜２００Ｈｚで間欠駆動される。以下に、第１副負荷１１（１２，１３）の駆動期間中に、主負荷１０が駆動したときの電流波形について説明する。
【００４４】
図３は主負荷電流と副負荷電流との電流波形を示す図である。図３では、サージが発生したときの電流波形を上部に示し、サージの発生を抑制したときの電流波形を下部に示す。また、図３では、第１副ＳＷ制御部３１（３２，３３）に設定された目標値の変化を示している。
【００４５】
主負荷１０がオンされると、コンバータ４０に負荷供給電流が流れるので、主出力電圧Ｖo1が低下する。主ＳＷ制御回路２０は、主出力電圧Ｖo1を安定化する方向にフィード・バック制御するので、ローサイドスイッチ素子Ｑ１及びハイサイドスイッチ素子Ｑ２のオン時間が長くなる。そのため、二次巻線ｎｓの各タップ出力電圧が上昇する。ここで、スイッチ素子Ｑ２１，Ｑ２２，Ｑ２３のオン時間が一定のままであれば、入力のオン時間が急増することになり、副出力電圧Ｖo21，Ｖo22，Ｖo23は上昇することになる。図３の領域Ａに示すように、主負荷電流の立ち上がり時に、副負荷電流には電流増大方向へのサージが発生する。
【００４６】
本実施形態では、主負荷１０のオン時、すなわち、主負荷電流の立ち上がり時に、調整目標値受取部３４は、第１副ＳＷ制御部３１（３２，３３）に設定された目標電流値を、主負荷１０の負荷の軽重に応じた目標電流値に一定時間Ｔｕ１だけ変更される。これにより、第１副ＳＷ制御部３１（３２，３３）は、スイッチ素子Ｑ２１（Ｑ２２，Ｑ２３）に入力される電圧が瞬間的に高くなっても、それに応じたスイッチング制御を行えるため、サージの発生を抑制できる。
【００４７】
主負荷１０がオフされると、コンバータ４０に負荷供給電流が流れなくなるので、主出力電圧Ｖo1が上昇する。主ＳＷ制御回路２０は、主出力電圧Ｖo1を安定化する方向にフィード・バック制御するので、ローサイドスイッチ素子Ｑ１及びハイサイドスイッチ素子Ｑ２のオン時間は短くなる。そのため、二次巻線ｎｓの各タップ出力電圧が下降する。ここで、スイッチ素子Ｑ２１，Ｑ２２，Ｑ２３のオン時間が一定のままであれば、入力のオン時間が急減することになり、副出力電圧Ｖo21，Ｖo22，Ｖo23は下降することになる。図３の領域Ｂに示すように、主負荷電流の立下り時に、副負荷電流には電流減少方向へのサージ（急減）が発生する。
【００４８】
本実施形態では、主負荷１０のオフ時、すなわち、主負荷電流の立下り時に、調整目標値受取部３４は、第１副ＳＷ制御部３１（３２，３３）に設定された目標電流値を、主負荷１０の負荷の軽重に応じた目標電流値に一定時間Ｔｕ２だけ変更する。これにより、第１副ＳＷ制御部３１（３２，３３）は、スイッチ素子Ｑ２１（Ｑ２２，Ｑ２３）に入力される電圧が瞬間的に低くなっても、それに応じたスイッチング制御を行えるため、サージの発生を抑制できる。
【００４９】
なお、目標電流値を変更する時間Ｔｕ１，Ｔｕ２は、領域Ａ，Ｂに生じるサージが発生してからなくなるまでの時間以下であり、実験等により予め決められた時間である。
【００５０】
（実施形態２）
図４は実施形態２に係るスイッチング電源装置の回路図である。実施形態１に係るスイッチング電源装置１０２は、トランスＴの二次側が、実施形態１に係るスイッチング電源装置１０１と相違する。以下、トランスＴの二次側の回路構成について説明する。なお、実施形態１と同様の部材については同じ符号を付し、説明は省略する。
【００５１】
トランスＴは二つの二次巻線ｎｓ１，ｎｓ２を有している。二次巻線（本発明の主出力部）ｎｓ１には主整流平滑回路が接続されている。主整流平滑回路は、インダクタＬ１、第１整流素子Ｄ１及び平滑キャパシタＣo１を有し、ＤＣ−ＤＣコンバータ４０を介して後段の主負荷１０に主出力電圧Ｖo1を供給する。
【００５２】
二次巻線（本発明の副出力部）ｎｓ２には、インダクタＬ２及びダイオードＤ２が接続されている。ダイオードＤ２のカソードには第１、第２及び第３副整流平滑回路が接続されている。第１、第２及び第３副整流平滑回路は、実施形態１と同様の構成である。
【００５３】
本実施形態では、主負荷１０と、第１副負荷１１、第２副負荷１２及び第３副負荷１３とに対して独立した二次巻線ｎｓ１，ｎｓ２の誘起電圧を供給する構成である。
【００５４】
ダイオード負荷駆動電源装置１０２は、ローサイドスイッチ素子Ｑ１及びハイサイドスイッチ素子Ｑ２をスイッチング制御する主ＳＷ制御回路２０を備えている。また、ダイオード負荷駆動電源装置１０２は、第１副ＳＷ制御部３１、第２副ＳＷ制御部３２、第３副ＳＷ制御部３３及び調整目標値受取部３４等、複数の機能を有したＤＳＰ３０を備えている。
【００５５】
主ＳＷ制御回路２０、ＤＳＰ３０及びＤＣ−ＤＣコンバータ４０等の各部は、実施形態１と同様に動作し、実施形態１と同様に、主負荷電流の立ち上がり及び立下りに、副負荷電流に発生するオーバーシュート及びアンダーシュートを抑制する。
【００５６】
なお、上述の実施形態では、ＤＳＰ４１が出力する、負荷の軽重に応じた目標電流値を決める目標値信号を、ＤＳＰ３０の調整目標値受取部３４が受け取っているが、調光信号を直接入力し、設定はＤＳＰ３０で行い、ＤＳＰ４０側から負荷の軽重に応じた補正量だけ受け取ってもよい。また、ＤＳＰ４０とＤＳＰ３０とを一体とし、ＤＳＰ１個で構成してもよい。さらに、主負荷前段にＤＣ−ＤＣコンバータを入れて構成しているが、ＤＣ−ＤＣコンバータを備えない構成に適用することも可能である。
【符号の説明】
【００５７】
１０−主負荷
１１−第１副負荷
１２−第２副負荷
１３−第３副負荷
２０−主ＳＷ制御回路（第１制御部）
３０−ＤＳＰ（第２制御部）
３１−第１副ＳＷ制御部
３２−第２副ＳＷ制御部
３３−第３副ＳＷ制御部
３４−調整目標値受取部（変更手段）
４０−ＤＣ−ＤＣコンバータ（コンバータ部）
４１−ＤＳＰ（検出手段）
４２−コンバータ
１０１，１０２−ダイオード負荷駆動電源装置
Ｑ１−ローサイドスイッチ素子（スイッチ回路）
Ｑ２−ハイサイドスイッチ素子（スイッチ回路）
Ｑ２１，Ｑ２２，Ｑ２３−スイッチ素子
ＣＲ１−第１整流回路
ＣＲ２−第２整流回路
ＣＲ３−第３整流回路
ｎｐ−一次巻線
ｎｓ−二次巻線
【図１】
2014017960.tif 000003
【図２】
2014017960.tif 000004
【図３】
2014017960.tif 000005
【図４】
2014017960.tif 000006